(57)【要約】      （修正有）【課題】個々のユーザーの商品の使用状況を反映した情報を個々のユーザーに効率よく提供可能な情報提供システムを提供すること。【解決手段】情報提供システム１は、化粧品である商品が収容される商品収容部と、ユーザーＰによる商品の使用を検知するためのセンサーと、センサーからの情報と時刻とが関連付けられた商品使用データを、無線で送信する無線送信手段を備えた化粧品容器２と、ネットワークＮを介して商品使用データを受信可能な情報提供サーバー４とを備える。情報提供サーバー４は、ネットワークＮを介して受信した商品使用データに基づき、ユーザーによる商品の使用状況を反映した提供情報を作成する提供情報作成部と、提供情報のデータを、前記ネットワークを介して、前記ユーザーのユーザー端末に送信する情報送信部とを有する。【選択図】図１
2019008619.tif 000002
【特許請求の範囲】
【請求項１】
化粧品である商品が収容される商品収容部と、ユーザーによる前記商品の使用を検知するためのセンサーと、前記センサーからの情報と時刻とが関連付けられた商品使用データを、無線で送信する無線送信手段を備えた化粧品容器と、
ネットワークを介して前記商品使用データを受信可能な情報提供サーバーとを備え、
前記情報提供サーバーは、
前記ネットワークを介して受信した前記商品使用データに基づき、前記ユーザーによる前記商品の使用状況を反映した提供情報を作成する提供情報作成部と、
前記提供情報のデータを、前記ネットワークを介して、前記ユーザーのユーザー端末に送信する情報送信部とを有する、情報提供システム。
【請求項２】
前記提供情報作成部は、
前記商品使用データに基づき、前記商品についての前記ユーザーの使用履歴データの作成を行う使用履歴作成部と、
前記使用履歴データに基づき、前記ユーザーによる前記商品の使用方法が、当該商品についての好ましい使用方法であるか否かを判定する使用方法判定部とを有し、
前記情報送信部は、
前記提供情報のデータとして、前記使用方法判定部による判定結果のデータを、前記ネットワークを介して前記ユーザー端末に送信する結果送信部を有する、請求項１に記載の情報提供システム。
【請求項３】
前記情報提供サーバーは、更に、前記ユーザー端末が具備する身体情報取得手段又は前記ユーザー端末に接続された身体情報取得手段により取得した前記ユーザーの身体データを、ネットワークを介して前記ユーザー端末から取得する身体データ取得部と、該身体データに基づき、前記ユーザーの化粧品適用部位の状態を分析する身体データ分析部と、その分析結果のデータを、前記ユーザー端末に送信する分析結果送信部とを備える、請求項１又は２に記載の情報提供システム。
【請求項４】
前記化粧品容器が、前記商品の使用時における使用環境を測定する環境センサーを備えており、前記情報提供サーバーは、使用環境を含む使用履歴データを作成する前記使用履歴作成部と、使用時における使用環境の適否を判定する使用環境判定部と、該使用環境判定部の判定結果のデータを、前記ユーザー端末に送信する第２結果送信部とを有する、請求項１〜３の何れか１項に記載の情報提供システム。
【請求項５】
前記化粧品容器が、前記商品の使用時における使用環境を測定する環境センサーを備え、前記情報提供サーバーは、前記環境センサーから得られた使用環境の情報に基づき該使用環境に応じた推奨情報を作成する推奨情報作成部と、その推奨情報を前記ユーザー端末に送信する推奨情報送信部とを有する、請求項１〜４の何れか１項に記載の情報提供システム。
【請求項６】
前記化粧品容器が、前記ユーザーによる前記商品の使用を検知するためのセンサーとして、該化粧品容器の全体又は蓋の移動を検知するセンサー及び該商品の使用の前後の
商品の収容量の変化を検知するセンサーとを備えており、該化粧品容器の全体又は蓋の移動、及び該化粧品容器の商品の収容量の変化の両方を検知したときに、該商品が使用されたと検知する、請求項１〜５の何れか１項に記載の情報提供システム。
【請求項７】
化粧品である商品が収容される商品収容部と、ユーザーによる前記商品の使用を検知するためのセンサーと、前記センサーからの情報と時刻とが関連付けられた商品使用データを、無線で送信する無線送信手段を備えた化粧品容器。
【請求項８】
ユーザーによる前記商品の使用を検知するための前記センサーとして、加速度データ、角速度センサー、荷重センサー、質量センサー、照度センサーから選択される１又は２以上のセンサーを備える、請求項７に記載の化粧品容器。
【請求項９】
化粧品である商品が収容される商品収容部を備えた化粧品容器が載置され、ユーザーによる前記商品の使用を検知するためのセンサーと、前記センサーからの情報と時刻とが関連付けられた商品使用データを、無線で送信する無線送信手段を備えた化粧品容器用台座と、
ネットワークを介して前記商品使用データを受信可能な情報提供サーバーとを備え、
前記情報提供サーバーは、
前記ネットワークを介して受信した前記商品使用データに基づき、前記ユーザーによる前記商品の使用状況を反映した提供情報を作成する提供情報作成部と、
前記提供情報のデータを、前記ネットワークを介して、前記ユーザーのユーザー端末に送信する情報送信部とを有する、情報提供システム。
【発明の詳細な説明】
【技術分野】
【０００１】
本発明は、個々のユーザーの商品の使用状況を反映した個々のユーザーに有用な情報を効率よく提供可能な情報提供システムに関する。
【背景技術】
【０００２】
従来の化粧品類は、使用方法が推奨されているものの、正しく使用されているか否かは、使用者の自己判断であった。また誤った保管方法や用法の誤りによって、期待される効果が得られない場合があった。
物品にセンサーを取り付け、該物品の使用のされ方を検知することは従来行われている。例えば、特許文献１には、物品の使用時に該物品に発現する物理量の変化を、荷重センサー、変位センサー若しくは重量センサー又はこれらの組み合わせにより検出し、該複数の物理量と物品の使用時に得た官能評価とを対応付けることにより、官能評価を定量化する物品使用特性測定装置が記載されている。
また特許文献２には、使用後に回収して再使用する再使用型容器に、データ保持手段を設け、該データ保持手段に、当該容器の使用に関するデータを記録することが記載されている。
【０００３】
特許文献３には、肌状態測定装置により測定されたユーザーの測定データを、ネットワークを介してデータ管理サーバーに送信し、データ管理サーバーが、その測定データを用いて決定したスキンケア装置の制御方法により、肌に対してスキンケア作用を与えるスキンケア装置を制御する肌状態測定ケアシステムが記載されている。
【先行技術文献】
【特許文献】
【０００４】
【特許文献１】特開２００１−１５３６９３号
【特許文献２】特開２００２−２１１５７４号公報
【特許文献３】特開２０１７−０２７６１８号公報
【発明の概要】
【発明が解決しようとする課題】
【０００５】
特許文献１の装置又は方法は、人による感覚的評価を数量化でき、また、開発対象の物品に対して、使用される条件のもとで所定の評価を得られる設計基準、あるいは設計の指針となるデータを、予め求めることができるというものであり、商品のユーザーに、ユーザー毎の使用状況を反映した情報を提供するものではない。
また特許文献２は、データ保持手段に記録されるデータは、使用回数等のリサイクル目的のものであり、同文献にも、商品のユーザーに、ユーザー毎の使用状況を反映した情報を提供することに関し何ら記載されていない。
【０００６】
特許文献３のシステムは、ユーザーにより使用される肌状態測定装置から得られる測定データを利用して、スキンケア装置を制御するものであるが、同文献にも、商品のユーザーに、ユーザー毎の使用状況を反映した情報を提供することに関し何ら記載されていない。
【０００７】
従って、本発明の課題は、個々のユーザーの商品の使用状況を反映した情報を個々のユーザーに効率よく提供可能な情報提供システムを提供することに関する。
【課題を解決するための手段】
【０００８】
本発明は、化粧品である商品が収容される商品収容部と、ユーザーによる前記商品の使用を検知するためのセンサーと、前記センサーからの情報と時刻とが関連付けられた商品使用データを、無線で送信する無線送信手段を備えた化粧品容器と、
ネットワークを介して前記商品使用データを受信可能な情報提供サーバーとを備え、
前記情報提供サーバーは、
前記ネットワークを介して受信した前記商品使用データに基づき、前記ユーザーによる前記商品の使用状況を反映した提供情報を作成する提供情報作成部と、
前記提供情報のデータを、前記ネットワークを介して、前記ユーザーのユーザー端末に送信する情報送信部とを有する、情報提供システムを提供するものである。
【０００９】
本発明は、化粧品である商品が収容される商品収容部と、ユーザーによる前記商品の使用を検知するためのセンサーと、前記センサーからの情報と時刻とが関連付けられた商品使用データを、無線で送信する無線送信手段を備えた化粧品容器を提供するものである。
【００１０】
また本発明は、化粧品である商品が収容される商品収容部を備えた化粧品容器が載置され、ユーザーによる前記商品の使用を検知するためのセンサーと、前記センサーからの情報と時刻とが関連付けられた商品使用データを、無線で送信する無線送信手段を備えた化粧品容器用台座と、
ネットワークを介して前記商品使用データを受信可能な情報提供サーバーとを備え、
前記情報提供サーバーは、
前記ネットワークを介して受信した前記商品使用データに基づき、前記ユーザーによる前記商品の使用状況を反映した提供情報を作成する提供情報作成部と、
前記提供情報のデータを、前記ネットワークを介して、前記ユーザーのユーザー端末に送信する情報送信部とを有する、情報提供システムを提供するものである。
【発明の効果】
【００１１】
本発明の情報提供システムによれば、個々のユーザーの商品の使用状況を反映した情報を個々のユーザーに効率よく提供可能である。
本発明の化粧品容器によれば、化粧品である商品のユーザーに、この化粧品容器に収容された商品を使わせることによって、ユーザーの商品使用データを入手することが可能となる。
【図面の簡単な説明】
【００１２】
【図１】図１は、本発明の好ましい一実施形態である情報提供システムの概略を示す模式図である。
【図２】図２は、図１に示す情報提供システムに用いる化粧品容器の構成を示すブロック図である。
【図３】図３は、図１に示す情報提供システムに用いる化粧品容器の一例を示す模式図であり、（ａ）はセンサーモジュールを取り付けた状態の断面図、（ｂ）はセンサーモジュールを取り出した状態を示す斜視図である。
【図４】図４は、本発明の好ましい一実施形態である情報提供システムを示すブロック図である。
【図５】図５は、ユーザー毎に作成される使用履歴テーブルの一例を示す図である。
【図６】図６は、ユーザー毎に作成される使用履歴テーブルの他の例を示す図である。
【図７】図７は、評価基準データベースに登録されている判定基準の一例を示す図である。
【図８】図８（ａ）〜図８（ｄ）は、それぞれ、化粧品である商品の使用の履歴と身体データの形状の変化の履歴とが同一の時間軸で表されたユーザー端末の画面を示す図である。図８（ａ）〜図８（ｄ）においては、肌の状態の変化を誇張して示してある。
【図９】図９は、本発明の一実施形態である情報提供システム１を動作させる順序の一例を示すフローチャート図である。
【図１０】図１０は、本発明の一実施形態である情報提供システム１を動作させる順序の他の例を示すフローチャート図である。
【図１１】図１１は、本発明の情報提供システムの化粧品容器におけるセンサーの取り付け個所の他の例を示す斜視図である。
【発明を実施するための形態】
【００１３】
以下、本発明の情報提供システムを、その好ましい実施形態に基づき図面を参照して説明する。
本発明の好ましい一実施形態である情報提供システム１は、図１に示すように、ユーザーＰによって使用される化粧品容器２と、該ユーザーＰによって使用されるユーザー端末３と、インターネット等のネットワークＮを介してユーザー端末３と接続された情報提供サーバー４とを備えている。情報提供サーバー４は、図４に示すように、データベース７を備えているか、データベース７との間でデータを送受信可能なようにネットワークＮ等を介して接続されている。
【００１４】
化粧品容器２は、図２に示すように、化粧品である商品２１ａが収容される商品収容部２１と、ユーザーによる商品２１ａの使用を検知するためのセンサー２２と、該商品２１ａを特定するための商品特定データ及びセンサー２２からの情報と時刻とが関連付けられた商品使用データを、ユーザー端末３に無線で送信する無線送信手段２３とを備えている。化粧品である商品は、固形物、液状、ペースト状、クリーム状、ジェル状、粉体の圧縮成形物、温度によって性状が変化するもの等、従来の化粧品がとり得る任意の剤型とすることができる。化粧品容器２は、図１１に示す化粧品容器２Ｂのような形状の容器であっても良い。図１１に示す化粧品容器２Ｂは、液状化粧品の化粧品容器として適している。液状には、乳液状も含まれる。
化粧品容器２は、タイマー２４及び図示しない電源（電池）を備えており、センサー２２によって測定された測定データを、タイマー２４から出力される時刻と関連づけて記録するデータロガー２５を備えている。
センサー２２は、ユーザー端末３又は情報提供サーバー４における所定の処理の結果として、ユーザーによる商品の使用を検知可能なものであっても良い。化粧品容器２が備えるセンサー２２の数は一つでも複数でも良い。
【００１５】
図３に化粧品容器２の具体例を示した。図３に示す化粧品容器２は、商品収容部２１を備えた容器本体１２１と、商品収容部２１の開口部を開閉可能な蓋１２２とを備えており、容器本体１２１に、センサーモジュール１２４の収容部１２３が形成されている。
センサーモジュール１２４は、前述したセンサー２２、無線送信手段２３、タイマー２４、データロガー２５及び電源等が一体として取り扱うことができるように纏められたものであり、好ましくはブロック又はカード状である。収容部１２３に、センサーモジュール１２４が脱着可能に収容されている。電源は、一次又は二次電池の他、電磁誘導方式で外部から電力を供給するものであっても良い。センサーモジュール１２４としては、例えば、テキサスインスツルメンツのＳｉｍｐｌｅ−Ｌｉｎｋセンサータグ等の公知のものを用いることもできる。センサー２２や無線送信手段２３等は、好ましくはモジュール１２４として、化粧品容器２から脱着自在であることが、センサー等の再利用を可能として、資源の有効利用を図る観点から好ましい。化粧品容器２から取り出したセンサー２２やセンサーモジュール１２４等は、商品特定情報等を再設定化した上で再利用することができる。図３に示す化粧品容器２は、栓体１２５を備えている。栓体１２５は、センサーモジュール１２４の挿入後、収容部１２３の入り口に脱着可能又は脱着不可能に取り付けられ、収容部１２３内へ水等の侵入を阻止する。
【００１６】
ユーザーによる商品の使用を検知するためのセンサー２２としては、例えば、加速度センサー、角速度センサー、照度センサー、荷重センサー、質量センサー等を用いることができ、これらは１種を単独で又は２種以上を組み合わせて用いることができる。化粧品容器２は、好ましくは、ユーザーによる商品の使用を検知するためのセンサー２２として、化粧品容器の全体又は蓋の移動を検知するセンサーを、単独で又は他のセンサーとともに設ける。また、他の方法として、ユーザーによる前記商品の使用を検知するためのセンサー２２として、照度センサーを設け、蓋の開閉に伴う照度の変化を検知して、商品の使用と検知することもできる。
【００１７】
好ましくは、化粧品容器２に、ユーザーによる商品の使用を検知するためのセンサー２２として、化粧品容器の全体又は蓋の移動を検知するセンサー及び該商品の使用の前後の商品の収容量の変化を検知するセンサーとを設け、該化粧品容器の全体又は蓋の移動及び該化粧品容器の商品の収容量の変化の両方を検知したときに、該商品が使用されたと検知させることが、商品の使用ではない事象を、商品の使用と誤認することを防止し、商品の使用をより的確に把握することができる観点から好ましい。商品の使用の前後の商品の収容量の変化を検知するセンサーとしては、質量センサー、照度センサー等が挙げられる。商品の使用の前後の商品の収容量の変化を検知するセンサーとしては、質量センサー及び照度センサーの何れか１つ又は２以上を用いることが好ましい。商品の使用の前後の商品の収容量の変化を検知するセンサーも、ユーザー端末３又は情報提供サーバー４における所定の処理の結果として、商品の収容量の変化を検知可能なものであっても良い。
質量センサーは、例えば、商品の減少に伴う化粧料容器や商品の質量の減少を検知可能なように、化粧用容器の底部や商品収容部の底部等に設ける。照度センサーは、商品２１ａの収容量の減少に伴って照度センサーに入力される光量が変化するように、例えば、図３（ａ）中の符号２２ｂに示す位置に設ける。この場合、ＬＥＤ等の光源及び電源を、蓋体１２２の裏面から光を照射可能なように設けることも好ましい。照射する光は、可視光でも良いし、可視光以外の光線、例えば赤外線等でも良い。
【００１８】
また化粧品容器の全体又は蓋の移動を検知するセンサーとしては、加速度センサー及び角速度センサーのいずれか一方、好ましくは両方を設けることが好ましく、それらから得られるデータに基づき、ユーザーが商品を移動させたり傾かせたり蓋を取り外したりしたことを検知することができる。ユーザーによる商品の移動、傾け、蓋の取り外しは、例えばそれらの１種又は２種以上の事象を検知した時刻に、ユーザーによる商品の使用があったと判断することができる。なお、蓋を取り外したことを検知するためには、センサーを蓋に設けることも好ましい。
化粧品容器の全体又は蓋の移動を検知するセンサーとしては、加速度センサー及び角速度センサーの一方又は双方と、照度センサーとを設けることも好ましい。例えば、照度センサーにより測定される照度の変化のみに基づき蓋が開閉されたと検知するよりも、該照度の変化及び加速度センサー等による商品の移動や傾斜の両方を検知したときに蓋が開閉されたと判断させる方が、蓋の開閉以外の要因により照度が変化したことを蓋の開閉と誤検知することを防止することができるので好ましい。
【００１９】
ユーザーによる商品の使用を的確に検知する観点から、化粧品容器２には、加速度データ、角速度センサー、荷重センサー、質量センサー、照度センサーから選択される種類が異なる２以上のセンサーを設けることが好ましい。
【００２０】
化粧品容器２は、商品の使用時における使用環境を測定する環境センサーを備えることが好ましく、ユーザーによる商品の使用を検知するためのセンサー２２とともに、商品の使用時における使用環境を測定する環境センサーを備えることが好ましい。
環境センサーとしては、温度センサーや湿度センサー等を用いることができる。環境センサーとして、温度センサー及び湿度センサーのいずれか一方、好ましくは両方を設けることによって、それらから得られる測定データに基づき、ユーザーが商品を使用した使用環境を判断することができる。情報提供サーバー４は、環境センサーを設けた化粧品容器２から得られる測定データにより、例えば、商品を使用した日や場所の湿度が高いか否かや、使用した日や場所の温度が高いか否か等を把握することができ、また、使用場所が、温度及び湿度が共に高い浴室内であるか等を把握することができる。
また、使用時における環境条件（温度や湿度）が、使用する化粧品自体や化粧品の使用条件として適切でない場合に、ユーザーに、その条件での商品の使用を中止したり停止するように推奨したり指示したりすることができる。前述したセンサーモジュール１２４は、環境センサーも内蔵していることが好ましい。
【００２１】
環境センサーから得られる温度又は湿度に関する測定データは、以下に説明する、ユーザーによる商品の使用を検知するためのセンサー２２から得られる測定データと同様にして、情報提供サーバー４に送信され、情報提供サーバー４において該測定データに基づき作成された提供情報が、同様にしてユーザー端末に提供情報として提供される。以下に説明する「センサー２２」についての説明は、矛盾しない限り、環境センサーについても適用される。
【００２２】
環境センサーは、保管時の環境の計測に用いることもできる。環境センサーを、保管時の環境の計測に用いる場合、環境センサーによる環境の計測は、２４時間連続して行っても良いし、例えば１時間毎等、所定の時間間隔で計測しても良い。化粧品容器又は該化粧品容器用の台座に環境センサー及び無線通信手段を設けることで、ユーザーによる商品の保管環境に関するデータを取得できる。保管環境に関するデータは、情報提供サーバーにネットワークを介して入力し、例えば、情報提供サーバーによる保管環境に関する情報の提供に利用することができる。一例を挙げれば、個々の商品との関係において保管する環境が不適切な場合に、当該商品について品質劣化の虞がある旨を通知することもできる。保管環境に関する情報は、商品使用データに基づき作成した個々のユーザーの商品の使用状況を反映した情報の提供と同時に提供しても良いし、前後して提供しても良いし、単独で提供しても良い。
【００２３】
データロガー２５は、センサー２２により測定された情報をデジタル処理して記憶する装置である。センサー２２から得られた各種の測定データは、データロガー２５内で、タイマー２４から入力される時刻データと関連付けられて保存される。データロガー２５は、ユーザー端末３のデータ取得部３１の要求に応じ、又は予め決められた任意のタイミングで、保存されているデータを、無線送信手段２３を介して無線でユーザー端末３に送信する。無線の形式は、Ｗｉ−ｆｉ，ブルートゥース（登録商標）、ブルートゥース（登録商標）ＬＥ、ＺｉｇＢｅ、赤外線等、特に制限されない。本実施形態において、化粧品容器２からユーザー端末３に送信される商品使用データは、センサー２２により測定された測定データとタイマー２４から出力された時刻データとが互いに関連付けられたデータであるが、本発明において、化粧品容器２からユーザー端末３に送信される「商品使用データ」は、送信前に時刻（時刻データ）と関連付けられたデータであっても良いし、センサーから得られる情報（測定データ）であって、後に時刻（時刻データ）と関連付けられる情報であっても良い。例えば、「商品使用データ」は、化粧品容器から無線送信された測定データが、ユーザー端末内において時計機能から出力される時刻と関連付けられて生成されたものであっても良い。
なお、化粧品容器２から無線で送信される商品使用データ等の各種データは、ユーザー端末３を介さずに情報提供サーバー４に送信されても良い。例えば、各種のデータを、インターネットに接続されたゲートウェイ等に無線で送信し、インターネットを介して情報提供サーバー４に送信しても良い。
【００２４】
本実施形態では、商品特定データは、化粧品容器２において、データロガー２５、又はデータロガー２５とは別のＩＣタグ等のデバイス（図示せず）に記録されている。
商品特定データは、個々の化粧品容器２に収容されている商品を特定可能なデータであり、例えば、商品毎に付与された商品名、識別番号、商品のロット毎に付与された識別番号等が挙げられる。商品特定データは、ユーザー端末３や情報提供サーバー４等におけるに所定の処理の結果として商品を特定可能なものでも良く、例えば、収容される商品が特定されている化粧品容器２については、化粧品容器２に付与された識別番号等であっても良い。
【００２５】
本実施形態におけるユーザー端末３は、図４に示すように、データ取得部３１、データ送信部３２、データ結合部３３、身体情報取得手段５１及び身体情報送信部５３を備える。本実施形態におけるユーザー端末３は、例えば、スマートフォン、タブレット型のパーソナルコンピューター、専用端末等の汎用のコンピューターから構成され、表示部、入力部、記憶部、演算部及び通信部等を備えている。表示部は、例えば、ＬＣＤ（Ｌｉｑｕｉｄ  Ｃｒｙｓｔａｌ  Ｄｉｓｐｌａｙ）、ＣＲＴ（Ｃａｔｈｏｄｅ−Ｒａｙ  Ｔｕｂｅ）、ＥＬディスプレイ（Ｅｌｅｃｔｒｏｌｕｍｉｎｅｓｃｅｎｃｅ  ｄｉｓｐｌａｙ）等によって構成され、入力部は、例えばキーボードやタッチパネル、ＵＳＢ等の外部メモリを接続可能はインターフェース等によって構成される。記憶部は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（ｓｏｌｉｄ  ｓｔａｔｅ  ｄｒｉｖｅ）等によって構成され、演算部は、ＣＰＵ（Ｃｅｎｔｒａｌ  Ｐｒｏｃｅｓｓｉｎｇ  Ｕｎｉｔ）等によって構成され、通信部は、化粧品容器２からデータを無線で受信又は送受信可能なインターフェース、及びユーザー端末３を、無線又は有線でインターネット等のネットワークＮに接続可能なインターフェース等から構成されている。化粧品容器２とユーザー端末３との間を接続する無線の形式は、Ｗｉ−ｆｉ，ブルートゥース（登録商標）、ブルートゥース（登録商標）ＬＥ、ＺｉｇＢｅ、赤外線、電話回線等、特に制限されない。ユーザー端末３を、インターネット等のネットワークＮに接続する方法は、ネットワークに接続可能な任意の方法を用いることができる。
ユーザー端末３は、汎用のコンピューターの表示部、入力部、記憶部、演算部及び通信部等は、ＯＳ（Ｏｐｅｒａｔｉｏｎ  Ｓｙｓｔｅｍ）及び該ＯＳ上で動作するアプリケーションソフトによって相互に連関して動作することによって、前述したデータ取得部３１、データ送信部３２、データ結合部３３、身体情報取得手段５１及び身体情報送信部５３等として機能する。
【００２６】
なお、ユーザーは、使用するユーザー端末３を変更したり、複数種類のユーザー端末３を任意の順で使用しても良い。例えば、ある日においては、スマートフォンから送信してもよいし、異なる日にはタブレットから送信してもよい。また、情報提供サーバー４から提供情報の受信を促がす連絡が、ネットワークや電話回線を通じて、スマートフォンとタブレットの両方に来るようにしても良い。
【００２７】
ユーザー端末３のデータ取得部３１は、化粧品容器２のデータロガー２５から、無線送信手段２３を介して送信された商品使用データを受信するように構成されており、また化粧品容器２のデータロガー２５から又はＩＣタグ等の他のデバイスから商品特定データを受信するように構成されている。ユーザー端末３のデータ送信部３２は、データ取得部３１が受信した商品特定データ及び商品使用データを、ネットワークＮを介して情報提供サーバー４に送信するように構成されている。
【００２８】
データ取得部３１が、化粧品容器２から商品特定データ及び商品使用データを受信するタイミング、及びデータ送信部３２が、データ取得部３１が受信した商品特定データ及び商品使用データを情報提供サーバー４に送信するタイミングは、それぞれ任意に設定することができる。
例えば、データ取得部３１は、ユーザー端末３が、化粧品容器２に設けられた近距離無線通信（ＺｉｇＢｅ等）や無線ＬＡＮの通信圏内に入ったときに自動で、両データを受信しても良いし、化粧品容器２とユーザー端末３とが常時接続可能な場合は、連続して両データを受信しても良い。好ましくは、ユーザーが、ユーザー端末３を用いて情報提供サーバー４のＷｅｂページにアクセスし、そのＷｅｂページ内の表示に従って所定の操作を行ったときに両データを受信するようにする。ここでいう「所定の操作」とは、例えば、化粧品容器２へのアクセスを認識又はイメージさせる表示が付された「ボタン」の押圧（クリック又はタッチパネルのタッチ）である。他方、データ送信部３２は、ユーザー端末３が、化粧品容器２からデータを受信したときに自動で両データを送信しても良いし、また化粧品容器２とユーザー端末３とが常時接続可能な場合は、連続して両データを送信しても良い。好ましくは、ユーザー端末３を用いて情報提供サーバー４のＷｅｂページにアクセスしているユーザーが、そのＷｅｂページ内に表示された所定の操作を行ったときに両データが送信されるようにする。ここでいう「所定の操作」は、例えば、情報の送信を認識又はイメージさせる表示が付された「ボタン」の押圧（クリック又はタッチパネルのタッチ）である。
データ取得部３１によるデータの取得と、データ送信部３２によるデータの送信とは、Ｗｅｂページ内に表示された一つのボタンの押圧等、一つの操作により同時に行われるようにしても良い。
【００２９】
ユーザー端末３は、商品特定データと商品使用データとを結合又は関連づけて、特定の商品についての商品使用データ（以下、特定商品使用データという）とするデータ結合部３３を有することが好ましく、データ送信部３２は、商品特定データ及び商品使用データとして、特定商品使用データを情報提供サーバー４に送信することが好ましく、情報提供サーバー４のデータ取得部４１は、商品特定データ及び商品使用データとして、特定商品使用データを受信することが好ましい。特定商品使用データは、商品特定データと、商品使用データと、両者を関連付けるデータとを含むものであっても良い。
【００３０】
本実施形態における情報提供サーバー４は、使用方法分析部４０と、身体情報分析部５０とを有している。
使用方法分析部４０は、図４に示すように、データ取得部４１、使用履歴作成部４２、使用方法判定部４６、結果送信部４８、使用環境判定部４７及び第２結果送信部４９を含んでいる。また身体情報分析部５０は、図４に示すように、身体データ取得部５４と、身体データ分析部５５と、分析結果送信部５８とを有している。身体データ分析部５５は、肌分析部５６と、身体形状分析部５７とを有している。
【００３１】
本実施形態における情報提供サーバー４は、例えば、汎用コンピューターから構成されており、表示部、入力部、記憶部、演算部及び通信部を備えている。表示部は、例えば、ＬＣＤ（Ｌｉｑｕｉｄ  Ｃｒｙｓｔａｌ  Ｄｉｓｐｌａｙ）、ＣＲＴ（Ｃａｔｈｏｄｅ−Ｒａｙ  Ｔｕｂｅ）、ＥＬディスプレイ（Ｅｌｅｃｔｒｏｌｕｍｉｎｅｓｃｅｎｃｅ  ｄｉｓｐｌａｙ）等によって構成され、入力部は、例えばキーボードやタッチパネル、ＵＳＢ等の外部メモリを着脱自在なインターフェースによって構成される。記憶部は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（ｓｏｌｉｄ  ｓｔａｔｅ  ｄｒｉｖｅ）等によって構成され、演算部は、ＣＰＵ（Ｃｅｎｔｒａｌ  Ｐｒｏｃｅｓｓｉｎｇ  Ｕｎｉｔ）等によって構成され、通信部は、インターネットに接続可能な公知のインターフェースから構成されている。
【００３２】
本実施形態における情報提供サーバー４の主要部を構成する汎用コンピューターの表示部、入力部、記憶部、演算部及び通信部等は、ＯＳ（オペレーションシステム）や、汎用コンピューターにインストールされた提供情報作成制御プログラムによって、相互に連関して動作することによって、情報提供サーバー４における、前述した使用方法分析部４０及び身体情報分析部５０として機能し、更に使用方法分析部４０と身体情報分析部５０とを連動させる連動動作手段（図示せず）として機能する。
本実施形態における情報提供サーバー４においては、使用方法分析部４０における使用履歴作成部４２及び使用方法判定部４６が主に、本発明における提供情報作成部として機能し、使用方法分析部４０における結果送信部４８が主に、本発明における情報送信部として機能する。
【００３３】
本実施形態では、使用方法分析部４０のデータ取得部４１は、ユーザー端末３によりネットワークＮを介して、情報提供サーバー４のＷｅｂページにアクセスした各ユーザーに、ユーザー毎に重複のない一意のユーザーＩＤを付与し、該ユーザーに関する各種情報を、データベース７に、ユーザーＩＤと関連付けて記録する。データ取得部４１は、好ましくは、ユーザー端末３を用いて情報提供サーバー４のＷｅｂページにアクセスしているユーザーが、該Ｗｅｂページ内の表示に従って所定の操作することにより、情報提供サーバー４が要求するユーザーに関する情報を入力可能になされている。ユーザーに関する情報としては、例えば、ユーザーの氏名、住所、メールアドレス、ユーザーが希望するニックネーム等であり、これらは個々のユーザーに一意に付与されたユーザーＩＤと関連付けられてユーザー管理データベース７１に登録されて管理される。また、ユーザーに関する情報として、ユーザーが特定される情報だけでなく、年齢や性別などの情報や、肌質や、これまでの他の商品使用歴、アレルギーの有無等の通常のアンケートで取得するような情報を入力させ、これらを同様に管理することも好ましい。
情報提供サーバー４のデータ取得部４１は、個々のユーザー端末３から、前述した商品特定データ及び商品使用データ（好ましくは特定商品使用データ）を受信する。また、化粧品容器２に設けられた環境センサーからユーザー端末３に送信され、該ユーザー端末３から送信された使用環境データを特定商品使用データとともに受信する。
【００３４】
使用履歴作成部４２は、ユーザー端末３から受信した商品特定データ及び商品使用データ（好ましくは特定商品使用データ）に基づき、個々のユーザーが使用している商品の特定及びそのユーザーによる特定した商品についての使用履歴データの作成を行う。使用している商品は、使用を予定している商品、例えばユーザーが購入した商品であっても良い。
本実施形態における使用履歴作成部４２は、商品特定部４３と、使用情報特定部４４と、使用情報記録部４５を有している。本実施形態における使用履歴作成部４２は、受信した商品特定データ及び商品使用データ（好ましくは特定商品使用データ）と、更に受信した使用環境データとに基づき、使用環境を含む使用履歴データを作成する。
より具体的に説明すると、商品特定部４３はデータベース７に含まれる商品管理データベース７２から、データ取得部４１が取得した商品特定データに対応する商品を抽出し、使用情報特定部４４は、データ取得部４１が取得した商品使用データに基づき、その商品の使用事実の特定の特定を行い、更に、データ取得部４１が取得した使用環境データに基づき、その商品が使用されたときの環境条件の特定を行う。
使用情報特定部４４によって特定される商品の使用事実は、少なくとも当該商品が使用された使用時刻が特定されることが好ましい。本明細書にいう「使用時刻」には、年月日の特定や「年」を除く「月」及び「日」のみの特定等、日にちまでしか特定されていないもの、更に時間（６０分）位まで特定されているもの、更に分単位まで特定されているもの、及び更に秒単位までの特定されているもののいずれもが含まれるが、通常、年月日の他、時間又は分単位までの特定で十分である。また、商品の使用事実には、商品の使用量や使用後の残量も含まれることが好ましい。
他方、商品が使用されたときの環境条件としては、使用時の温度、使用時の湿度等が挙げられる。
【００３５】
商品の使用情報として「使用時刻」を特定するには、例えば、化粧品容器２に設けるセンサー２２に、加速度及び角速度センサーを含ませ、ユーザー端末３を介して情報提供サーバー４に入力される商品使用データに、時刻と関連付けられた加速度及び角速度の変化データを含ませる。この場合、例えば、その加速度及び角速度の変化データが、商品の使用に起因すると判断される所定の基準を満たす変化を示す場合に、当該商品使用データに含まれる時刻から特定される時刻、例えば前記の所定の基準を満たす変化があった時刻に、当該商品が使用されたと判定することができる。
前述したように、使用された事実の特定には、記化粧品容器が、前記ユーザーによる前記商品の使用を検知するためのセンサーとして、加速度及び角速度センサーのような、化粧品容器の全体又は蓋の移動を検知するセンサーによる化粧品容器の全体又は蓋の移動の検知と、化粧品容器の商品の収容量の変化したこととの両方を検知したときに、使用があったと判断することが、使用の事実をより的確に検知できる観点から好ましい。ただし、この場合も化粧品容器の全体又は蓋の移動を検知するセンサーにより移動を検知したときの時刻を、使用時刻と特定することが好ましい。
【００３６】
化粧品容器の商品の収容量が変化したことを検知する方法の一つとして、化粧品容器２又は商品２１ａの質量の変化を検知する方法が挙げられる。
化粧品容器２又は商品２１ａの質量の変化を検知するには、例えば、化粧品容器２に設けるセンサーに質量センサーを含ませ、ユーザー端末３を介して情報提供サーバー４に入力される商品使用データに、時刻と関連付けられた質量のデータを含ませる。そして、化粧品容器の全体又は蓋の移動を検知するセンサーによる化粧品容器の全体又は蓋の移動が検知された時刻の前後に、質量の変化があったか否かを、その質量のデータに基づき判定する。そして、移動の前後に質量の変化があったときに、当該移動の際に、商品の使用があったと特定する。質量センサーは、化粧品容器の化粧品収容部の底部に配し、該化粧品収容部に内容器に収容した状態の化粧品を収容させるか、化粧品容器の底部に、化粧品容器の荷重を受けるように設けることが好ましい
【００３７】
化粧品容器の商品の収容量が変化したことを検知する方法の他の方法として、照度センサーを用いて、化粧品容器内に残る商品を透過する光の光量の変化を検知する方法が挙げられる。前述した通り、照度センサーを、商品２１ａの収容量の減少に伴って照度センサーに入力される光量が変化するように、例えば、図３（ａ）中の符号２２ｂに示す位置に設ける。そして、化粧品容器の全体又は蓋の移動を検知するセンサーによる化粧品容器の全体又は蓋の移動が検知された時刻の前後に、照度センサーに入射された光量に変化があったか否かを、照度センサーから得られたデータに基づき判定する。そして、移動の前後で、照度センサーに入射された光量に変化があったときに、当該移動の際に、商品の使用があったと特定する。
【００３８】
また、商品の使用に関する好ましい情報として「使用量」を特定するには、例えば、化粧品容器２に設けるセンサーに質量センサーを含ませ、ユーザー端末３を介して情報提供サーバー４に入力される商品使用データに、時刻と関連付けられた質量のデータを含ませる。そして、その質量のデータに基づき、前述した方法により特定した「使用時刻」の前後での質量を特定し、その差を演算することにより、「使用した量」を特定することができる。
商品の使用情報として「使用量」を特定する他の方法としては、例えば、化粧品容器２に、センサーとして照度センサーを、化粧料を透過した光の量に応じて照度が変化するように配置し、ユーザー端末３を介して情報提供サーバー４に入力される商品使用データに、時刻と関連付けられた該照度センサーから得られた照度の変化データを含ませる。そして、その照度の変化データに基づき、他の方法により特定した「使用時刻」の前後での照度の変化を特定し、特定した照度の変化量を、所定のアルゴリズムで、所定の光透過率を有する化粧品の減少量に換算して「使用量」とする。
容器に加速度センサーを設けて該センサーからのデータにより商品の使用を検知する一方、当該商品の使用の際の使用量を、使用前後の容器を、スマートフォンの画面上に測定物を載せることにより当該測定物の質量を測定可能とするアプリケーションソフト及びセンサーを組み込んだスマートフォンの画面上に載せて測定することにより求めることもできる。
【００３９】
商品の使用事実として「使用時刻」を特定する他の方法としては、例えば、化粧品容器２に設けるセンサー２２に、照度センサーを含ませ、ユーザー端末３を介して情報提供サーバー４に入力される商品使用データに、時刻と関連付けられた照度の変化データを含ませる。照度の変化データは、例えば、数秒から数分に亘る照度の変化のデータであり、この照度の変化データに、商品の使用時に生じる照度の変化が含まれる場合に、当該変化があった時点を、該商品の使用があった時刻と特定することができる。例えば、蓋の裏側等、蓋の開閉により照度が変化する場所に照度センサーを設けておき、（１）蓋を開けたことに起因すると判断される所定の基準を満たす照度の変化（増加）及び（２）蓋を閉じたことに起因すると判断される所定の基準を満たす照度の変化（減少）のうちの前者又は両方が含まれる場合に、前者の変化（照度の増加）があった時点に、商品の使用があったと判定することができる。また、化粧品容器２の底部に照度センサーを設けておき、使用時に化粧品を取り出すために化粧品容器を持ち上げた際の照度の変化を検知し、ユーザーが使用したと判定することもできる。この場合の判定は仮判定とし、使用に伴い生じる他の変化を他のセンサーで検知したときに使用したと本判定とすることが好ましい。
【００４０】
商品の使用時の環境条件として「使用時の温度」又は「使用時の湿度」を特定するには、例えば、化粧品容器２に設けるセンサーに温度又は湿度センサーを含ませ、ユーザー端末３を介して情報提供サーバー４に入力される商品使用データに、時刻と関連付けられた温度又は湿度のデータを含ませる。そして、その温度又は湿度のデータに基づき、前述した方法等により特定した「使用時刻」における温度又は湿度を特定することにより、「使用時の温度」又は「使用時の湿度」を特定することができる。
【００４１】
使用情報記録部４５は、例えば、前述した方法により商品特定部４３において特定された商品と、前述した方法により使用情報特定部４４によって特定された商品の使用に関する情報（使用時刻や使用環境等）とを相互に関連付けて、使用履歴データベース７３に記録する。以下、商品と関連付けられている特定のユーザーの使用情報を、以下「特定商品使用情報」ともいう。
特定商品使用情報の使用履歴データベース７３への記録は、例えば、図５に示すように、ユーザー毎に作成される使用履歴テーブル７４に、使用した商品と関連付けて、使用時刻（日時）や、該使用時刻（日時）に関連付けた他の使用状況（使用時温度、湿度、使用量等）を、順次記録することにより行う。
また、特定商品使用情報の使用履歴データベース７３への記録は、情報提供サーバー４が、商品特定データ及び商品使用データを受信する度に、繰り返される。情報提供サーバー４が、商品特定データ及び商品使用データを受信する頻度及び使用情報記録部４５が特定商品使用情報を使用履歴データベース７３に記録する頻度は、それぞれ、少なくとも１週間に１回以上であり、好ましくは２日１回以上、より好ましくは１日１回以上、更に好ましくは１日に２回以上である。情報提供システム１の化粧品容器２、ユーザー端末３及び情報提供サーバー４等は、特定商品使用情報の使用履歴データベース７３への記録が上記の好ましい頻度で繰り返されるように制御される。
【００４２】
特定商品使用情報の使用履歴テーブル７４への記録が繰り返されることによって、特定のユーザーによる特定の商品の使用履歴データが作成される。特定のユーザーによる特定の商品の使用履歴データを、以下「特定商品使用履歴データ」ともいう。特定商品使用履歴データは、図６に示すように、一つの商品毎に分けられた使用履歴テーブル７４に記録されても良いし、図５に示すように、複数の商品に共通する使用履歴テーブル７４に記録されても良い。図５に示す使用履歴テーブル７４は、ユーザー毎に分けられているが、個々の使用履歴テーブル７４に、各ユーザーが使用した複数の商品（商品Ａ，商品Ｂ）についての特定商品使用状況履歴データが纏めて示されている。
【００４３】
本実施形態の情報提供サーバー４は、前記の使用履歴作成部４２で作成された特定商品使用状況履歴データに基づき、その特定のユーザーによる当該商品の使用方法が、当該商品についての好ましい使用方法であるか否かを判定する使用方法判定部４６と、その使用方法判定部４６による判定結果を、ネットワークＮを介してユーザー端末３に送信して表示させる結果送信部４８を有している。また、本実施形態の情報提供サーバー４は、前記の使用履歴作成部４２で作成された特定商品使用状況履歴データに基づき、その特定のユーザーによる当該商品の使用時における温度や湿度等の使用環境が、当該商品についての好ましい使用環境であるか否かを判定する使用環境判定部４７と、その使用環境判定部４７による判定結果を、ネットワークＮを介してユーザー端末３に送信して表示させる第２結果送信部４９を有している。
【００４４】
本実施形態の情報提供システム１が利用するデータベース７には、化粧品である多数の商品のそれぞれについて、商品毎に、ユーザーの使用方法（使用頻度や使用量等）が好ましい使用方法であるか否かを判断する基準とすべき評価基準が登録された評価基準データベース７５が含まれている。情報提供サーバー４の使用方法判定部４６は、特定商品使用状況履歴データによって特定される商品に対応する評価基準を、個々の商品に付された識別番号等をキーとして取り出し、特定商品使用状況履歴データによって特定されるユーザーの使用方法（使用頻度や使用量等）を、取り出した判定基準と照合して、当該ユーザーの使用方法が、当該商品についての好ましい使用方法であるか否かを判定する。
【００４５】
評価基準データベース７５には、例えば、図７に示すように、個々の商品についての使用方法（使用頻度、使用量等）が複数の区分に分けて登録されており、またそれらの区分のうち、いずれの区分を、推奨される区分、好ましい区分、注意を喚起すべき区分及び警告を発すべき区分にすべきかが登録されている。情報提供サーバー４の使用方法判定部４６は、特定商品使用状況履歴データによって特定される商品が、商品Ａである場合、図７に示すような、商品Ａの使用方法についての評価基準を取り出し、特定商品使用状況履歴データから特定される商品Ａについてのユーザーの使用方法が、その評価基準に含まれる区分のうちのどれに該当するかを判定する。そして、判定した区分が、推奨される区分、好ましい区分、注意を喚起すべき区分及び警告を発すべき区分のいずれに該当するかを判定し、その判定結果に対応する情報を、結果送信部４８に対して、ユーザー端末３に送信するように指令する。
【００４６】
結果送信部４８は、上述にようにして使用方法判定部４６により判定された判定結果を、使用状況履歴データによって特定されるユーザーによる特定の商品の使用方法が、当該商品についての好ましい使用方法であるか否かの判定結果として、ネットワークＮを介してユーザー端末３に送信する。この判定結果の送信は、好ましくは、商品のユーザーが、ユーザー端末３を用いて、情報提供サーバー４にアクセスしたとき又はアクセスして所定の操作を行ったときに行われる。データを受信したユーザー端末３には、受信したデータに応じた提供情報が表示される。具体的には、情報提供サーバー４にアクセスしてきたユーザー端末３に対して、判定結果のデータを含むデータをネットワークＮを介して送信することによって、該データを受信したユーザー端末３が有するブラウザ機能や該ユーザー端末３にインストールさせたアプリケーションソフトが動作し、ユーザー端末３に、使用方法判定部４６により判定された判定結果が表示される。
ユーザー端末３に表示させる「好ましい使用方法であるか否かの表示」は、ユーザーが、自己の使用方法が、正しいことや許容される使用方法であることを概ね認識できるものであれば良く、ユーザーの使用方法が、当該商品について推奨される使用方法か否かを表示するものであっても良いし、当該商品について適切と言える範囲の使用方法であるか否かを表示するものであっても良いし、当該商品について許容される使用方法であるか否かの表示であっても良い。また、具体的に表示させる表示は、文章、文字列、マーク、記号、絵等のいずれであっても良く、それらの２以上の組み合わせでも良い。
【００４７】
例えば、推奨される使用頻度が１日１回の商品Ａについて、月曜日や商品の使用開始日等の任意に設定した基準日（１日目）から１週間についてのユーザーの使用頻度が、図８（ａ）に示すように、１日１回であった場合は、例えば、当該基準日から１週間後に、推奨される使用方法であったことを意味する表示として「使用回数パーフェクト  この調子で頑張りましょう」といった表示や「使用回数１００点」といった表示をしたり、それらの表示とともに「◎」の記号や「笑顔」のマークを表示する。他方、推奨される使用頻度が１日１回の商品Ａについて、基準日（１日目）から１週間についての使用頻度が、図８（ｂ）に示すように、２日に１回であった場合は、当該基準日から１週間後や使用されなかった日の翌日である３日目や５日目等に、注意を喚起すべき表示として、「毎日の使用が望まれます。もう少し頑張りましょう。」といった表示や「使用回数５０点」といった表示をしたり、それらの表示とともに「△」の記号や「泣顔」のマークを表示する。ユーザー端末３に送信する、ユーザーの使用方法の評価結果に応じた情報は、送信情報データベース７６等に登録しておき、そこから抽出して送信する。
【００４８】
このように、本実施形態である情報提供システムによれば、化粧品である商品のユーザーＰは、ユーザー端末３の簡単な操作により、個々のユーザーの商品の使用状況を反映した情報を取得することができ、当該商品を、当該商品に適した好ましい使用方法で使用することが容易となる。適切に使用している場合においても、それが評価されることで、その適切な使用を継続する動機付けともなる。
また、ユーザーＰは、商品の使用状況を反映した情報を取得することができるため、自分の使用方法が身体情報の改善に及ぼす度合いを認知できる。
なお、好ましい使用方法は、使用頻度に関する使用方法に限られず、使用量等についての好ましい使用方法であっても良い。例えば、質量センサーその他のセンサーを用いて得られる化粧品の１回当たりの使用量や任意の日数（例えば１日、２日等）当たりの使用量を、図７に示すような使用量の評価基準と照合することにより、１回当たりや１日当たりの使用量が、推奨される使用量に対して適切か否か等を判定することもでき、例えば、使用量が好ましい使用量に比して過剰である場合、注意を喚起すべき表示や警告の表示として、ユーザー端末に、「使用量が多くても効果は向上しません」といった表示や、「使用量を減らしてください！」といった表示を表示させることもできる。また、質量センサーその他のセンサーを用いて得られる化粧品の１回当たりの使用量や任意の日数（例えば１日、２日等）当たりの使用量と、図７に示すような使用量の評価基準を用いることにより、１回当たりや１日当たりの使用量が、推奨される使用量に対して適切か否か等を判定することもできる。
【００４９】
本実施形態の情報提供システム１が利用するデータベース７には、化粧品である多数の商品のそれぞれについて、商品毎に、その商品を使用する際の環境条件（温度や湿度等）が適切であるか否かを判断する基準とすべき評価基準が登録された評価基準データベース７５も含まれている。本実施形態では、使用環境判定部４７が使用する評価基準データベース７５と使用方法判定部４６が使用する評価基準データベースとは共通しているが、それぞれ独立したデータベースとすることもできる。
【００５０】
情報提供サーバー４の使用環境判定部４７は、特定商品使用状況履歴データによって特定される商品に対応する評価基準を、個々の商品に付された識別番号等をキーとして取り出し、特定商品使用状況履歴データによって特定されるユーザーの使用時における環境条件（温度や湿度等）を、取り出した判定基準と照合して、当該ユーザーの使用時の環境条件が、当該商品についての好ましい使用条件であるか否かを判定する。
【００５１】
使用環境判定部４７は、例えば、特定商品使用状況履歴データによって特定される商品が、商品Ａである場合、図７に示すような、商品Ａの使用方法についての評価基準を取り出し、特定商品使用状況履歴データから特定されるユーザーの使用時における環境条件が、その評価基準に含まれる区分のうちのどれに該当するかを判定する。そして、使用環境判定部４７は、判定した区分が、推奨される区分、好ましい区分、注意を喚起すべき区分及び警告を発すべき区分のいずれに該当するかを判定し、その判定結果に対応する情報を、第２結果送信部４９に対して、ユーザー端末３に送信するように指令する。使用環境判定部４７による判定結果を、ユーザー端末３に送信して表示させる方法は、使用方法判定部４６により判定された判定結果を送信して表示させる方法と同様である。
【００５２】
このように、本実施形態である情報提供システムは、使用環境を含む使用履歴データを作成する使用履歴作成部４２と、使用環境の適否を判定する使用環境判定部４７と、使用環境判定部の判定結果を、ユーザー端末に送信して表示させる第２結果送信部を有するため、化粧品である商品のユーザーは、ユーザー端末３の簡単な操作により、個々のユーザーの商品の使用環境を反映した情報を取得することができ、当該商品を、当該商品に適した好ましい環境条件で使用することが容易となる。
また、図７に示すような、使用時の温度の評価基準を用いて判定することにより、当該商品を使用する際の周囲の温度が好ましいか否か、例えば、温度により性状が変化するクリーム状の化粧品に関し、肌上での延びが良くなる適切な温度での使用であるか、又は該化粧品の延びが悪くなったり液だれを生じやすくなる可能性が高まる過度に低温若しくは高温の環境下の使用ではないか等で使用していないか否かを判定することもできる。
【００５３】
また本発明の情報提供システムは、化粧品容器２が、商品の使用時における使用環境を測定する環境センサーを備え、情報提供サーバー４が、環境センサーから得られた使用環境の情報に基づき該使用環境に応じた推奨情報を作成する推奨情報作成部と、その推奨情報を前記ユーザー端末に送信する推奨情報送信部とを有することも好ましい。
前記推奨情報作成部は、例えば、環境センサーとして化粧品容器２に設けた温度センサー又は湿度センサーから得られた温度又は湿度のデータに基づき、各使用時における温度又は湿度を求め、求めた温度又は湿度に対応する推奨情報を、図示しない推奨情報データーベースから抽出して、ユーザーのユーザー端末３に送信する。温度又は湿度に対応する推奨情報としては、例えば、使用時における湿度が所定値以下で乾燥の程度が高い場合は、「乾燥しています。普段より多めに使用しましょう」といった推奨情報、湿度が所定値以下の任意に設定される所定日数以上が続いた場合は、「乾燥した日が続いています。多めに使用しましょう」といった推奨情報等が挙げられる。
【００５４】
推奨情報作成部及び推奨情報送信部を有する情報提供サーバーは、推奨情報作成部が主に本発明における提供情報作成部として機能し、推奨情報送信部が主に、本発明における情報送信部として機能する。推奨情報作成部は、使用環境判定部４７と同様にして使用環境を判定し、提供情報作成部は、第２結果送信部と同様にして、ユーザー端末３に対して推奨情報を提供する。推奨情報作成部及び推奨情報送信部を有する情報提供サーバーは、汎用コンピューターの表示部、入力部、記憶部、演算部、通信部等を、汎用コンピュータにインストールされたＯＳ（オペレーションシステム）や所定の制御プログラムによってによって相互に連関して動作させることによって得られる。
【００５５】
ユーザーによる誤った使用方法を防止又は早期に是正する観点から、本発明の情報提供システムは、情報提供サーバー４が分析した、ユーザーによる商品の使用方法や環境条件が不適切な場合に、ユーザー端末３にアラートを表示させる機能を備えることが好ましい。上述した実施形態の情報提供システム１においては、使用履歴作成部４２が、ユーザー端末３から送信されるデータに基づき、特定の商品についてのユーザーの使用時刻や使用量についての使用方法を特定し、使用方法判定部４６が、図７に示す評価基準に従って、その使用方法が、誤った使用方法であって特にその程度の高いものではないかを判定する。また、上述した実施形態の情報提供システム１においては、使用履歴作成部４２が、ユーザー端末３から送信されるデータに基づき、特定の商品についてのユーザーの使用時の環境条件を特定し、使用環境判定部４７が、図７に示す評価基準に従って、その環境条件が、誤ったものであって特にその程度の高いものではないかを判定する。そして、図７に示す使用頻度、使用量及び使用環境のそれぞれについて、使用者の使用方法から求められる区分が、表７に示す「警告を発すべき区分」に該当する場合は、誤ったものであって特にその程度の高いものとして、結果送信部４８又は第２結果送信部４９に対してデータを送信し、ユーザー端末３に警告を表示させる。
例えば、推奨される使用頻度が１日１回の商品Ａについて、ユーザーが登録した使用開始日から３日までの使用回数が、図８（ｃ）に示すように連続して３日である場合、図７に示す評価基準の「２≧が３日≧に達したとき」という「警告を発すべき条件」に該当するものとして、該ユーザー端末３に対して警告を表示させる。
ユーザー端末３に対する警告の送信は、ユーザー端末に、「一日の使用回数は１回にしてください！」といった表示させるデータの送信であっても良いし、ユーザー端末やユーザー端末に接続された他の装置に、警告の表示をさせたり、警告を意味する音声やアラーム音を発生させるデータの送信であっても良い。
【００５６】
本実施形態の情報提供システム１によれば、化粧品である商品のメーカーは、自社又は委託先に情報提供サーバーの管理を行わせることによって、個々のユーザーの現実の使用状況を把握することができ、それにより商品の説明書や、店頭での説明等の多様な方法により、ユーザーによる誤った使い方を防止することができ、ユーザーの顧客満足度を向上させることができる。ユーザー端末に送信する情報は、ユーザーのみならず、化粧品である商品の販売者等の、本システムの提供者側にとっても商品開発に有用な情報となるため、本システムによる情報提供者側に蓄積することが好ましい。
【００５７】
本実施形態の情報提供システム１の情報提供サーバー４は、図４に示すように、ユーザー端末３が具備する身体情報取得手段５１又は該ユーザー端末３に接続された身体情報取得手段５２により取得したユーザーの身体データを、インターネット等のネットワークＮを介してユーザー端末３から取得する身体データ取得部５４と、取得した身体データに基づき、ユーザーの化粧品適用部位の状態を分析する身体データ分析部５５と、その分析結果を、ユーザー端末３に送信して表示させる分析結果送信部５８とを備える。身体データを取得するユーザー端末３は、商品使用データを受信するユーザー端末３と、同一であっても異なっていても良い。
【００５８】
身体データとしては、スマートフォンやタブレット型のパーソナルコンピューターに標準で搭載されているカメラ機能を用いて撮影した２次元の画像データや、顔等の３次元的な立体形状を有する化粧品適用部位をラインセンサー等によりスキャンして得られる３次元立体形状データが挙げられる。身体情報取得手段５１．５２が、ユーザー端末３のカメラ機能又はユーザー端末３に接続された別の撮像手段により、２次元の画像データを取得する場合、身体情報送信部５３及び身体データ取得部５４は、例えば、使用方法分析部４０のデータ取得部４１が、商品特定データ及び商品使用データをユーザー端末３から受信するタイミングと同時に、身体データを送受信する。
そして、身体データ分析部５５における肌分析部５６が、受信した画像データを分析して、ユーザーの化粧品適用部位の肌の状態を評価する。評価する肌の状態の分析としては、例えば、個々のユーザーの特定個所の画像データを、身体情報データベース７７に登録していき、化粧品の初回使用日に撮影した画像データと、２回目以降使用日に撮影した画像データとを比較して、２回目以降の各使用日における初回使用日からの肌の状態の改善の程度を評価する。これに代えて、化粧品が使用された特定の日に撮影した画像データと、前回の化粧品使用日に撮影した画像データを比較して、前回の使用日からの肌の状態の改善の程度を評価しても良い。改善を評価する肌の状態としては、化粧品を適用することにより改善することが期待される種々の状態が挙げられ、例えば、シミの有無や程度、くすみの有無や程度、肌の色（美白効果）等を評価することができる。
【００５９】
図８（ａ）〜図８（ｃ）には、月曜日や商品の使用開始日等の任意に設定した基準日（１日目）から１週間についての、ユーザーの使用事実の有無と、使用事実が確認された日に撮影された画像データとを上下に並べて示したものであり、例えば、このような使用の履歴と肌の状態の変化とを関連付けた画像を、ユーザー端末３に送信して表示部に表示させることで、ユーザーは、自己の使用方法とその使用方法の結果の肌状態の変化とを併せて認識することができる。使用方法分析部４０による分析結果と身体情報分析部５０による分析結果とを関連付けて、ユーザー端末３に表示させたり、データベースに蓄積することが好ましい。図８（ａ）〜図８（ｃ）には、１日１回の使用が推奨される化粧品である商品について、図８（ａ）は、１日１回使用した理想的な使用方法を行ったユーザーに対して提供した情報の表示であり、図８（ｂ）は、２日に１回の頻度で使用したユーザーに対して提供した情報の表示であり、図８（ｃ）は、１〜３日まで１日に２回の頻度で過剰の化粧料の使用したユーザーに対して提供した情報の表示である。図８（ｃ）のユーザーは、初日から３日まで過剰量を使用したために２〜３日目に肌の状態の悪化したことが推定される。
【００６０】
これにより、化粧品である商品のユーザーは、化粧品の使用方法や使用環境とそれによる肌状態の変化を認識することができるため、例えば、化粧品の効果が認められない場合に、その原因が自己の不適切な使用方法にあることを認識でき、適切な使用方法に改善する強い動機づけとなる。他方、化粧品の効果が認められる場合は、自己の適切な使用の結果であることを認識でき、適切な使用方法を継続する動機づけともなる。
商品の使用の履歴と肌状態の変化の履歴とを関連付けた情報（画像やデータ等）、当該商品についての適切な使用方法を知るために有用な指標ともなるため、ユーザーのみならず、情報提供者側にとっても有用な情報となる。
【００６１】
ユーザー端末３が専用端末で３次元立体形状データを取得可能である場合や、ユーザー端末に、３次元立体形状データの取得装置を接続した場合は、身体データ分析部５５は、身体形状分析部５７として、商品の使用の履歴と肌の立体形状の変化の履歴とを関連付けた情報（画像やデータ等）を得ることが可能となる。その場合、商品の使用の履歴と肌の立体形状の変化の履歴とを関連付けて、ユーザー端末３に送信して表示させることで、化粧品である商品のユーザーは、自己による化粧品の使用方法や環境条件の適否と、肌の立体形状の変化との関係を容易に認識することができる。肌の立体形状の変化としては、例えば、たるみの改善やむくみの改善、顔の輪郭の変化等が挙げられる。この場合もユーザーに、不適切な使用方法の改善や適切な使用方法の継続について動機づけを与えることができる。また、当該商品についての適切な使用頻度や使用環境を知ることができるため、ユーザーのみならず、情報提供者側の化粧品のメーカー等にとっても有用である。
【００６２】
なお、３次元立体形状データの取得装置としては、各種公知のものを用いることができ、例えば、Ａｒｔｅｃ  Ｇｒｏｕｐ  Ｉｎｃ社製の３Ｄスキャナ（ＡｒｔｅｃＥｖａＴＭ（登録商標））やＶＥＣＴＲＡ  Ｍ３（キャンフィールドイメージングシステムズ  ＣＡＮＦＩＥＬＤ  Ｉｍａｇｉｎｇ  Ｓｙｓｔｅｍｓ）等を用いることができ、また、米国マイクロソフトから発売された「Ｋｉｎｅｃｔ  ｆｏｒ  Ｗｉｎｄｏｗｓ」（２０１２年発売のＫｉｎｅｃｔ  ｖ１、２０１４年発売のＫｉｎｅｃｔ  ｖ２）を用いることもできる。「Ｋｉｎｅｃｔ  ｆｏｒ  Ｗｉｎｄｏｗｓ」は、赤外線プロジェクターと赤外線カメラとを備え、赤外線プロジェクターにより投光された赤外線パターンを赤外線カメラで読み取り、そのパターンのゆがみから各部までの距離情報を得ることができ、更にその距離情報に基づき、ヒトの輪郭を認識したり、ヒトの複数の部位点の位置を把握することができるものである。
【００６３】
本発明における化粧品としての商品としては、例えば、肌用化粧水、保湿液、美容液、保湿クリーム、乳液、洗顔料、フェイシャルリンス、化粧用油、ファンデーション、化粧下地、おしろい、口紅、アイシャドウ、頬紅、アイライナー、マニキュア、育毛剤、ヘアカラー、ヘアトニック、ハンドクリーム、ボディローション等が挙げられる。化粧品の身体に対する適用部位（化粧品適用部位）としては、例えば、顔全体、唇、まつげ、瞼、爪、頭皮、手、ボディ、脇、脛等が挙げられる。
【００６４】
図９は、上述した情報提供システム１を作動させる順序の一例を示すフローチャート図である。上述した情報提供システム１により、商品を使用するユーザーのユーザー端末に対し、該ユーザーによる商品の使用状況を反映した情報を提供するには、図９に示すように、ユーザー端末３にインストールされているアプリを起動させ（ステップＳ１）、その状態で、化粧品容器に収容された商品を使用する（ステップＳ２）と、化粧品容器が具備する「ユーザーによる前記商品の使用を検知するためのセンサー」（以下「使用検知センサー」）により当該商品の使用が検知され、該センサー２２からの情報と時刻とが関連付けられた商品使用データが作成される（ステップＳ３）。作成された商品使用データは、無線によりユーザー端末３に送信され（ステップＳ４）、更にユーザー端末３から情報提供サーバー４に、インターネットを介して送信される（ステップＳ５）。情報提供サーバー４は、提供情報作成制御プログラムによって制御される提供情報作成部にデータが入力される（ステップＳ６）。そして、身体データの一例である顔データが入力されているかのチェックが行われる（ステップＳ７）。商品使用データが入力された時点で顔データが入力されている場合は、診断プログラムが起動され、使用履歴作成部により使用履歴データが作成され、使用方法判定部により、その使用履歴データに基づき使用方法の判定が行われる（ステップＳ８）。また、顔データを用いた身体情報分析部による処理も行われる。
他方、商品使用データが入力された時点で顔データが入力されていない場合は、ユーザー端末３に対して、顔データを撮影して送るように促す顔データ欠落アラートが送信される（ステップＳ９）。データ欠落アラートを受信したユーザー端末３には、ステップＳ１で起動させてあるアプリの機能により、撮影の仕方等が表示され、ユーザー端末３に搭載されたカメラ機能を用いて、ユーザー自身によるユーザーの顔の撮像が行われる（ステップＳ１０）。撮像を終了して、送信ボタンの押圧等の所定の操作を行うことによって、撮像した顔のデータが、情報提供サーバー４に送信される。情報提供サーバー４は顔のデータを受信すると、ステップＳ８において、診断プログラムが起動され、使用履歴作成部により使用履歴データが作成され、使用方法判定部により、その使用履歴データに基づき使用方法の判定が行われる。
【００６５】
ステップＳ８における、使用方法の判定の結果、使用方法が、アラート（警告）を発すべき所定の基準に合致する場合は、結果送信部からアラートが送信され（ステップＳ１２）、ユーザー端末３がアラートを受信すると（ステップＳ１３）、ユーザー端末の画面上に、使用の中止や使用の改善を促す表示が表示され、あるいはユーザー端末から警告音が発せられる。これにより、ユーザーは、使用方法の確認を行い、場合によっては、使用の中止、使用の改善、容器の修理の手配等を行う（ステップＳ１４）。ステップＳ８において、使用方法の判定の結果が、アラート（警告）を発すべき所定の基準に合致しない場合は、ユーザー端末３に送信すべき提供情報が作成され（ステップＳ１５）、ユーザー端末３に対して送信され（ステップＳ１６）、ユーザー端末３が受信する（ステップＳ１７）。提供情報を受信したユーザー端末３の画面には、ユーザーの使用状況を反映した情報が表示され、好ましくは、ユーザーの使用状況を反映した情報及び顔画像が併せて表示される（ステップＳ１８）。例えば、ユーザーが、その表示を確認し、確認ボタンの押圧等の所定の操作を行うことにより、アプリが終了する（ステップＳ１９）。
情報提供サーバー内又はこれに接続されたデーターベースのデータ蓄積部内には、情報提供サーバーが受信した商品使用データ等が順次蓄積される（ステップＳ２０，Ｓ２１）。この蓄積データを用いることにより、過去の判定結果や過去の商品使用データと対比した判定等が可能となる。
【００６６】
図１０は、上述した情報提供システム１を作動させる順序の他の例を示すフローチャート図である。図１０に示すフローにおいては、ユーザー端末３にインストールされたアプリを起動し（ステップＳ３１）、該アプリにより表示される指示に従い、ユーザーは、自信の顔データを撮像する（ステップＳ３２）。撮像後、アプリにより表示される指示に従い、送信ボタンの押圧等に所定の操作を行うことにより、顔データが、情報提供サーバー４に、インターネットを介して送信される（ステップＳ３３）。情報提供サーバー４は、提供情報作成制御プログラムによって制御される提供情報作成部にデータが入力される（ステップＳ３４）。その入力を契機として、商品使用データが入力されているかのチェックが行われる（ステップＳ３５）。顔データが入力された時点で商品使用データが入力されている場合は、診断プログラムが起動され、使用履歴作成部により使用履歴データが作成され、使用方法判定部により、その使用履歴データに基づき使用方法の判定が行われる（ステップＳ３６）。また、顔データを用いた身体情報分析部による処理も行われる。
他方、顔データが入力された時点で商品使用データが入力されていない場合は、ユーザー端末３に対して、商品使用データを送るように促す商品使用データ欠落アラートが送信される（ステップＳ３７）。商品使用データ欠落アラートを受信したユーザー端末３には、ステップＳ３１で起動させてあるアプリの機能により、商品使用データの取り込み及び送信方法等が表示され、その指示に従って送信ボタンの押圧等の所定の操作を行うことによって、化粧品容器のデーターロガーに記憶されていた商品使用データ、あるいは、ユーザー端末３に記憶されていた商品使用データが、情報提供サーバー４に送信される。情報提供サーバー４は、商品使用データを受信すると診断プログラムが起動され、使用履歴作成部により使用履歴データが作成され、使用方法判定部により、その使用履歴データに基づき使用方法の判定が行われる（ステップＳ３６）。また、顔データを用いた身体情報分析部による処理も行われる。これ以後は、図９に示すフローのステップＳ１１以降と同様の順序で、各種の処理が進められる。
【００６７】
本発明は、上記の実施形態に限定されることなく種々の変更が可能である。
例えば、本発明の情報提供システム１の動作の順序は、図９や図１０に示すフローの順序に制限されない。
また、ユーザーによる商品の使用を検知するためのセンサー及び商品の使用時における使用環境を測定する環境センサーとしてのセンサーは、それぞれ、化粧品容器２に設けるのに代えて、化粧品容器２とセットをなす台座、例えば、化粧品容器２の底部の形状に対応する形状の凹部を備えた台座や、化粧品容器２の底部に設けた凹部に対応する凸部を備えた台座に設けることもできる。化粧品容器２とセットをなす台座とは、化粧品容器２と合致する凹部又は凸部を備えた台座の他、デザイン上の統一感を有する台座等が含まれる。
【００６８】
図１１は、本発明の情報提供システムの他の実施形態の要部が示されている。
図１１に示す例においては、ユーザーによる商品の使用を検知するためのセンサー２２が、化粧品容器２が載置される専用の台座、より具体的には、化粧品容器２の底部の形状に対応する形状の凹部を備えた専用の台座に設けられている。
第２実施形態の情報提供システムにおいては、ユーザーによる商品の使用を検知するためのセンサー２２と、該センサー２２からの情報と時刻とが関連付けられた商品使用データを無線で送信する無線送信手段（図示せず）とが、化粧品である商品が収容される商品収容部を備えた化粧品容器２にではなく、該化粧品容器２が載置される化粧品容器用台座９に設けられている。化粧品容器用台座９に設けるセンサーとしては、ユーザーによる商品の使用を検知するためのセンサーとして前述した各種のセンサーを用いることができ、例えば、質量センサー、荷重センサー、照度センサー等を設けることができる。
化粧品容器用台座９に設けた質量センサーや荷重センサーを設けた場合、化粧品容器用台座９に載置された化粧品容器２の質量や荷重を該質量センサーにより測定しておき、化粧品容器２が持ち上げられたことによる測定値の変化を検出したときに、当該化粧品容器２内に収容された商品の使用があったと検知することもできる。
また、ユーザーによる商品の使用を検知するためのセンサーを、化粧品容器２と、該化粧品容器２用の台座９との両方に設けることもできる。例えば、商品が使用されたことを検知するセンサーを化粧品容器２に設ける一方、その使用時における使用量を検知するためのセンサー、例えば質量センサーや照度センサー等を台座９に設けることもできる。
第２実施形態については、センサーを化粧品容器に設ける以外は、好ましい構成を含めて、図１〜図８を参照しつつ説明した上述した実施形態と同様の構成とすることができる。
【００６９】
また、図８（ｄ）に示すように、複数の商品についての化粧用容器のそれぞれについて、使用履歴データを作成し、それらを同じ時間軸で、ユーザー端末に表示させるとともに、当該複数の商品の併用方法が、好ましい使用方法であるか否かを判定させても良い。例えば、商品Ａと商品Ｂとを同時に使用することが望ましくない複数の商品について、両方の使用事実が同日に検知されたときに、「併用はおやめください」といった注意を表示させることで、併用に関し注意を喚起することができる。また、併用する場合は、それぞれの使用量を減らすことが望まれる場合、両方の使用事実が同日に検知されたときに、「それぞれの使用量を半分にしてください」といった注意を表示させることで、併用に関し注意を喚起することができる。
【００７０】
本発明の化粧品容器又は本発明の情報提供システムによれば、化粧品容器やその台座に設けたセンサーから得られるデータに基づき、複数人の商品使用データを得ることができる。複数人のユーザの商品使用データは、例えば、統計学上の処理や、ビッグデータとして人工知能（ＡＩ）による処理を行うことによって、より良い使用方法の開発に活用することもできる。ここでいう使用方法には、商品の使用量、商品の使用間隔、商品の使用時期、複数の商品の組み合わせ方等が挙げられるが、これらに制限されるものではない。商品の使用時期としては、例えば、朝、昼、夜のいずれの時期に使用すると高い効果が得られるか等が挙げられる。
また、商品使用データに基づきユーザーの使用履歴を作成した結果、当該ユーザーが当該商品を継続して使用していると判断される場合は、当該商品を継続して使用していることを理由として商品の割引（継続割引）を提案しても良い。また、身体情報取得手段により取得したユーザーの身体データに基づき、ユーザーの化粧品適用部位の状態を分析した結果として、その肌の状態に合った商品の提案や、使用する商品の変更、商品の使用の中断等を提案することもできる。
【符号の説明】
【００７１】
１  情報提供システム
２  化粧品容器
２１ａ  商品
２１  商品収容部
２２  センサー
２３  無線送信手段
２４  タイマー
２５  データロガー
１２１  容器本体
１２２  蓋
１２３  収容部
１２４  センサーモジュール
３  ユーザー端末
３１  データ取得部
３２  データ送信部
３３  データ結合部
４  情報提供サーバー
４０  使用方法分析部
４１  データ取得部
４２  使用履歴作成部
４３  商品特定部
４４  使用情報特定部
４５  使用情報記録部
４６  使用方法判定部
４７  使用環境判定部
４８  結果送信部（情報送信部）
４９  第２結果送信部（情報送信部）
５０  身体情報分析部
５１，５２  身体情報取得手段
５３  身体情報送信部
５４  身体データ取得部
５５  身体データ分析部
５６  肌分析部
５７  身体形状分析部
５８  分析結果送信部（情報送信部）
７  データベース
７１  ユーザー管理データベース
７２  商品管理データベース
７３  使用履歴データベース
７４  使用履歴テーブル
７５  評価基準データベース
７６  送信情報データベース
７７  身体情報データベース
【図１】
2019008619.tif 000003
【図２】
2019008619.tif 000004
【図３】
2019008619.tif 000005
【図４】
2019008619.tif 000006
【図５】
2019008619.tif 000007
【図６】
2019008619.tif 000008
【図７】
2019008619.tif 000009
【図８】
2019008619.tif 000010
【図９】
2019008619.tif 000011
【図１０】
2019008619.tif 000012
【図１１】
2019008619.tif 000013